(57)【要約】【課題】電子部品の接続構造において、ハウジングの収容部内の所定位置に電子部品を収容し、その電子部品の損傷を抑制する。【解決手段】一対の端子２０と電子部品Ｌ，Ｄ，Ｒとをハウジング１０に収容する。ハウジング１０は、電子部品Ｌ，Ｄ，Ｒを収容して当該電子部品Ｌ，Ｄ，Ｒの接点部と端子２０の接点部とを電気的接続する収容部３０Ｌ，３０Ｄ，３０Ｒと、その収容部３０Ｌ，３０Ｄ，３０Ｒとハウジング１０外周側とを貫通した開口であり電子部品３０Ｌ，３０Ｄ，３０Ｒを当該ハウジング１０の外周側から収容部３０Ｌ，３０Ｄ，３０Ｒ内に挿入可能な挿入口１２ａ，１２ｂ，１１ａと、を有する。挿入口１１ａの内側縁には、当該内側縁から挿入口１１ａの径方向に突出した突起部であり当該挿入口１１ａから挿入される電子部品Ｒを収容部３０Ｒ内に案内するガイド部３１が形成される。【選択図】図１
2014157679.tif 000002
【特許請求の範囲】
【請求項１】
互いに距離を隔てて位置する一対の端子と、それら端子の接点部に電気的接続される一つ以上の電子部品と、をハウジング内に収容した接続構造であって、
前記ハウジングは、電子部品を収容して当該電子部品の接点部と端子の接点部とを電気的接続する収容部と、その収容部とハウジング外周側とを貫通した開口であり電子部品を当該ハウジングの外周側から収容部内に挿入可能な挿入口と、を有し、
前記挿入口の内側縁には、当該内側縁から挿入口径方向に突出した突起部であり当該挿入口から挿入される電子部品を収容部内に案内するガイド部が形成され、
前記収容部内における電子部品挿入方向先端側と前記ガイド部との間の距離は、前記電子部品における挿入方向長さよりも大きいことを特徴とする電子部品の接続構造。
【請求項２】
前記ガイド部は、前記内側縁において対向して位置する一対の突起部であることを特徴とする請求項１記載の電子部品の接続構造。
【請求項３】
前記端子は、収容部内に収容された電子部品の接点部に弾接する接点部を有したことを特徴とする請求項１または２記載の電子部品の接続構造。
【発明の詳細な説明】
【技術分野】
【０００１】
本発明は、例えばＬＥＤ照明ユニット等の電子部品ユニットに用いられる電子部品の接続構造に関するものである。
【背景技術】
【０００２】
ＬＥＤコネクタアッシー等のような電子部品ユニットにおいては、一対の端子（バスバー等）を介して電子部品（ＬＥＤ，ダイオード，抵抗器等）を電気的接続し例えば略箱状のハウジング内に収容した電子部品接続構造を備え、電線を保持した電線ホルダーを前記接続構造に装着（電線と端子とを電気的接続）して、外周側をユニットカバー（例えばＬＥＤ照明ユニットのレンズカバー）により包覆した構成が知られている（例えば特許文献１，２）。
【０００３】
接続構造のハウジングの一例としては、各種電子部品を収容して端子の接点部と電気的接続する収容部と、その収容部とハウジング外周側とを貫通した開口であり電子部品を当該ハウジング外周側から収容部内に挿入可能な挿入口と、を有し、ユニットカバーに収容可能な形状の構造が挙げられる。また、例えば、ハウジング内に各種電子部品を収容するにあたり、電子部品を挿入口から収容部内の所定位置に案内して保持（電気的接続する位置で保持）する保持溝（挿入方向に沿って延在する溝）を形成したり、端子との接続不良（電子部品が挿入口から突出した位置（中途状態）で保持される現象等）の抑制や電子部品の脱落を抑制（ユニットカバー（当て面）により防止）する試みが行われている（例えば特許文献３）。
【０００４】
前記のように電子部品を収容する構成では、その電子部品において損傷を引き起こさないようにすることが求められる。例えば、前記の電子部品を収容する際に、収容部内や端子と間で所謂ドツキ現象を引き起こさないようにしたり、ハウジング（収容部）の熱収縮により電子部品と収容部等とが互いに接触して干渉しないようにすることが挙げられる。
【先行技術文献】
【特許文献】
【０００５】
【特許文献１】特開２０１２−１３４０５５号公報
【特許文献２】特開２０１２−１０９１６２号公報
【特許文献３】特開２０１２−１０９１６３号公報。
【発明の概要】
【発明が解決しようとする課題】
【０００６】
本発明は、前記の事情を鑑みてなされたものであって、ハウジングの収容部内の所定位置に電子部品を収容し、その電子部品の損傷を抑制できる電子部品の接続構造を提供することを目的としている。
【課題を解決するための手段】
【０００７】
この発明に係る電子部品の接続構造は、前記の課題を解決できる創作であり、具体的に、この発明の一態様は、互いに距離を隔てて位置する一対の端子と、それら端子の接点部に電気的接続される一つ以上の電子部品と、をハウジング内に収容した接続構造であって、前記ハウジングは、電子部品を収容して当該電子部品の接点部と端子の接点部とを電気的接続する収容部と、その収容部とハウジング外周側とを貫通した開口であり電子部品を当該ハウジングの外周側から収容部内に挿入可能な挿入口と、を有し、前記挿入口の内側縁には、当該内側縁から挿入口径方向に突出した突起部であり当該挿入口から挿入される電子部品を収容部内に案内するガイド部が形成され、前記収容部内における電子部品挿入方向先端側と前記ガイド部との間の距離は、前記電子部品における挿入方向長さよりも大きいことを特徴とする。
【０００８】
前記ガイド部は、前記内側縁において対向して位置する一対の突起部であっても良い。また、前記端子は、収容部内に収容された電子部品の接点部に弾接する接点部（接触片等）を有したものでも良い。
【発明の効果】
【０００９】
本発明に係る電子部品の接続構造によれば、ハウジングの収容部内の所定位置に電子部品を収容し、その電子部品の損傷を抑制することが可能となる。
【図面の簡単な説明】
【００１０】
【図１】本実施形態の接続構造をＬＥＤ照明ユニットに適用した一例を示した分解斜視図。
【図２】図１の電線保持部を除いた状態のＬＥＤ照明ユニットの説明図（上面図）。
【図３】図２のＬＥＤ照明ユニットのＡ−Ａ線断面図。
【図４】図２のＬＥＤ照明ユニットのＢ−Ｂ線断面図。
【図５】図１の接続構造の下面図。
【図６】図１のハウジングの拡大斜視図。
【図７】図６のハウジングの一部を示す部分断面図。
【図８】図１の端子の拡大斜視図。
【図９】図１の電線保持部の概略説明図。
【図１０】図１の端子の展開形状の一例を示す概略説明図。
【図１１】図１のＬＥＤ照明ユニットの回路構成の一例を示す回路図。
【図１２】図１のユニットカバーの一例を示す概略説明図。
【図１３】図１のユニットカバーの一例を示す概略説明図。
【図１４】図１のユニットカバーの一例を示す概略説明図。
【図１５】図１のハウジングの一例を示す概略説明図。
【図１６】図１のハウジングの一例を示す概略説明図。
【図１７】図１のＬＥＤ照明ユニットの組立手順の一つを示す概略説明図。
【図１８】図１のＬＥＤ照明ユニットの組立手順の一つを示す概略説明図。
【図１９】図１のＬＥＤ照明ユニットの組立手順の一つを示す概略説明図。
【図２０】図１のＬＥＤ照明ユニットの組立手順の一つを示す概略説明図。
【図２１】図１のＬＥＤ照明ユニットの組立手順の一つを示す概略説明図。
【発明を実施するための形態】
【００１１】
本発明の実施形態に係る電子部品の接続構造は、一対の端子と一つ以上の電子部品とを収容するハウジングを備えた構造であって、そのハウジングにおいて、電子部品を収容して当該電子部品の接点部と端子の接点部とを電気的接続する収容部と、その収容部とハウジング外周側とを貫通した開口であり電子部品を当該ハウジングの外周側から収容部内に挿入可能な挿入口と、を有したものであり、前記挿入口の内側縁に、当該内側縁から挿入口径方向に突出した突起部であり当該挿入口から挿入される電子部品を収容部内に案内するガイド部を形成したものである。
【００１２】
このように、挿入口の内側縁にガイド部を形成したことにより、電子部品を挿入口から挿入する際には当該電子部品がガイド部によって収容部内の所定位置に案内される。また、収容部内における電子部品挿入方向先端側と前記ガイド部との間の距離が、前記電子部品における挿入方向長さよりも大きいため、前記のように所定位置に案内された後の電子部品について、ガイド部から距離を隔てて位置させることができ、両者の接触による干渉を抑制することができる。
【００１３】
したがって、例えば収容部の挿入方向に沿って保持溝を形成した周知の構造の場合には、その保持溝によって所定位置に案内された後も、互いに接触等の干渉により損傷を引き起こす虞があるが、本実施形態は当該周知の構造とは全く異なるものであり、前記のような損傷を抑制することができる。
【００１４】
本実施形態の接続構造は、前述した内容に限定されるものではなく、例えば以下に示すように、電子部品の接続構造（ＬＥＤ照明ユニット等）の分野で一般的に知られている技術等を適用して適宜変形することが可能である。
【００１５】
＜接続構造の一例＞
以下、本実施形態の電子部品の接続構造について、各種電子部品（後述のＬＥＤ素子Ｌ，ツェナーダイオードＤ，抵抗板Ｒ）を備えたＬＥＤ照明ユニットに適用した一例を示す図１〜図９に基づいて説明する。なお、図中、便宜上矢印の方向をそれぞれ前方向，後方向，上方向，下方向とする。
【００１６】
図１において、電子部品の接続構造１を有してなるＬＥＤ照明ユニット１００は、一対の端子２０にそれぞれ別の電線Ｗが電気的に接続されることによって、ＬＥＤ素子Ｌによる光の照射を行うものである。このＬＥＤ照明ユニット１００は、電子部品の接続ユニットとして、図１に示すように、ユニットカバー１１０と、電子部品の接続構造１と、電線保持部（電線ホルダー）１２０と、を有してなる。
【００１７】
ユニットカバー１１０は、接続構造１および電線保持部１２０を収容させるものである。このユニットカバー１１０は、接続構造１および電線保持部１２０を内部に収容させるための挿入口となる開口１１０ａが形成された箱型形状の筐体である。また、ユニットカバー１１０内には、接続構造１および電線保持部１２０が、それぞれ前方向から接続構造１，電線保持部１２０の順で配置される。なお、ユニットカバー１１０は、照明用開口部１１１および係合用開口部１１２を有してなる。照明用開口部１１１は、ユニットカバー１１０の上方向面を形成する壁に形成された開口であり、ユニットカバー１１０内に収容されたＬＥＤ素子Ｌから出射される光を外部に向けて出射させるためのものである。
【００１８】
係合用開口部１１２は、ユニットカバー１１０の開口１１０ａ近傍の側壁に形成された開口である。この係合用開口部１１２は、係合部として電線保持部１２０に設けられた後述するランス部１２２に係合されるものである。すなわち、係合用開口部１１２がランス部１２２と係合されることによって、ユニットカバー１１０内に接続構造１および電線保持部１２０を固定させることができる。
【００１９】
接続構造１は、ハウジング１０と、ハウジング１０内に収容される一対の端子２０と、端子２０に電気的接続される各種電子部品（ＬＥＤ素子Ｌ，ツェナーダイオードＤ，抵抗板Ｒ等）と、を有してなる。この接続構造１は、ハウジング１０内に固定された一対の端子２０によって、ハウジング１０内に収容される各種電子部品を電気的に接続させるものである。すなわち、接続構造１は、例えば電子部品としてのＬＥＤ素子Ｌ，ツェナーダイオードＤ，抵抗板Ｒをハウジング１０内の各々の収容部３０Ｌ，３０Ｄ，３０Ｒ（図３，図５〜図７等参照；詳細を後述する）に収容し、それらＬＥＤ素子Ｌ，ツェナーダイオードＤ，抵抗板Ｒの各接点部（電子部品に形成される端子等）を端子２０の各接点部（収容された電子部品の端子等と接する接点部）にそれぞれ電気的接続させるものである。
【００２０】
このような接続構造１がユニットカバー１１０内に収容された場合、図３に示すように、ＬＥＤ素子Ｌが、照明用開口部１１１に対応する位置に配置され、各電線Ｗと接続される接点部となる後述の圧接端子部２３ｂが、ユニットカバー１１０の開口１１０ａ側に向けられる。
【００２１】
ハウジング１０は、例えば絶縁性の材料からなり、上面に開口部１０ａが形成された箱形形状の筐体である。このハウジング１０は、図５〜図７に示すように、矩形状の底壁１１と、底壁１１の４辺のそれぞれから立設された側壁としての、前壁１２と、前壁１２と向かい合う後壁１３と、向かい合う一対の左右壁１４とを有してなる。また、ハウジング１０は、ＬＥＤ素子挿入口１２ａ，ツェナーダイオード挿入口１２ｂ，抵抗板挿入口１１ａ，分離壁１５，端子固定部１６を有してなる。さらに、ＬＥＤ素子挿入口１２ａ，ツェナーダイオード挿入口１２ｂ，抵抗板挿入口１１ａの各内側には、それぞれＬＥＤ素子Ｌ，ツェナーダイオードＤ，抵抗板Ｒを収容可能な収容部３０Ｌ，３０Ｄ，３０Ｒを有してなる。
【００２２】
ＬＥＤ素子挿入口１２ａは、ハウジング１０内にＬＥＤ素子Ｌを挿入するため、前壁１２に形成された開口である。ツェナーダイオード挿入口１２ｂは、ハウジング１０内にツェナーダイオードＤを挿入するため、前壁１１に形成された開口である。抵抗板挿入口１１ａは、ハウジング１０内に抵抗板Ｒを挿入するため、底壁１１に形成された開口である。
【００２３】
分離壁１５は、向かい合う左右壁１４の間の位置で左右壁１４に並列して底壁１１から立設され、ハウジング１０内部の収容空間を大きく分けて略２等分する壁である。この分離壁１５によって２分されたハウジング１０内の各収容空間には、各端子２０が収容される。これにより、各端子２０は、互いに接触されることなく絶縁状態を維持してハウジング１０内に収容される。
【００２４】
分離壁１５の壁面および分離壁１５に向かい合う各左右壁１４の壁面には、抵抗板挿入口１１ａから垂直方向に延在する直線状の一対の溝１５ａがそれぞれ形成され、一対の溝１５ａが抵抗板Ｒ用の収容部３０Ｒの側壁の一部として機能することになる。また、一対の溝１５ａにおける抵抗板挿入口１１ａの内側縁の位置には、その内側縁から当該抵抗板挿入口１１ａの径方向に突出した突起部であるガイド部３１（例えば図１６等参照；詳細を後述する）が形成される。このガイド部３１により、抵抗板挿入口１１ａから挿入される抵抗板Ｒが、収容部３０Ｒ内の所定位置に案内されて収容されることになる。
【００２５】
また、分離壁１５の前端部、かつＬＥＤ素子挿入口１２ａおよびツェナーダイオード挿入口１２ｂに対応する位置には、ＬＥＤ素子ＬおよびツェナーダイオードＤがハウジング１０内に収容可能とされる切り込み部１５ｂが形成され、この切り込み部１５ｂがそれぞれＬＥＤ素子Ｌ用，ツェナーダイオードＤ用の収容部３０Ｌ，３０Ｄの各側壁の一部として機能することになる。
【００２６】
端子固定部１６は、図３，図７に示すように、分離壁１５の壁面１５ｃから突出して形成され、ハウジング１０の底壁１１とで端子２０を挟持固定させて、各端子２０をハウジング１０内に固定させるものである。この一対の端子２０には、例えば同一形状のものを適用することができ、後述する圧接端子部２３ｂが形成される端部２０ｄ、および端部２０ｄに対向する端部２０ｃの位置を並列させて、ハウジング１０内に配置される。また、一対の端子２０は、各圧接端子部２３ｂが開口部１０ａを介してハウジング１０外に露出され、かつハウジング１０の後壁１３の外面１３ｅに立設するようにハウジング１０に収容される。
【００２７】
この一対の端子２０の各々は、例えば導電性の板状部材をプレス加工によって一体成形されたものを適用でき、図８に示すように、長方形状の天板部２０ａの長手方向に延在する両辺から下方に向けて屈曲させて形成された第一の部品接続部２１および第二の部品接続部２２と、天板部２０ａの後方端部を下方に向けて屈曲させ更に後方に向けて屈曲させて形成された電線接続部２３と、を有してなる。また、天板部２０ａは、天板部２０ａの長手方向に伸びる両辺を形成する両縁が下方に向けて屈曲された一対の曲げ縁部２０ｂを有してなる。
【００２８】
第一の部品接続部２１は、天板部２０ａの両縁から立設された板状の一対の基部２１ａと、各基部２１ａの下端から前方向（横方向）に延在した一対の突出片２１ｂと、天板部２０ａと一対の突出片２１ｂとの間の各基部２１ａから前方向（横方向）に突出された一対の第一の接触片２１ｃおよび一対の第二の接触片２１ｄとを有してなる。
【００２９】
一対の第一の接触片２１ｃは、端部２１ｃｃに向けて天板部２０ａとの距離が短くなるように伸ばされ、かつ弾性を有してなる。また、一対の第二の接触片２１ｄは、一対の第一の接触片２１ｃより下方に形成され、端部２１ｄｄに向けて突出片２１ｂとの距離が短くなるように伸ばされ、かつ弾性を有してなる。このように構成された第一の部品接続部２１は、ＬＥＤ素子Ｌが収容部３０Ｌ内において電気的に接続されるＬＥＤ素子接続部２４と、ツェナーダイオードＤが収容部３０Ｄ内にて電気的に接続されるツェナーダイオード接続部２５と、を有してなる。
【００３０】
ＬＥＤ素子接続部２４は、収容部３０Ｌ内に収容されるＬＥＤ素子Ｌを、天板部２０ａの一対の曲げ縁部２０ｂと、一対の第一の接触片２１ｃと、によって挟持固定させるものである。すなわち、一対の曲げ縁部２０ｂと、一対の第一の接触片２１ｃとの間にＬＥＤ素子Ｌが挿入（ＬＥＤ素子挿入口１２ａから挿入）されることによって、一対の第一の接触片２１ｃの弾性を利用してＬＥＤ素子Ｌが挟持固定され、一対の端子２０とＬＥＤ素子Ｌとの電気的接続（各々の接点部を介して接続）がなされる。
【００３１】
ツェナーダイオード接続部２５は、収容部３０Ｄ内に収容されるツェナーダイオードＤを、一対の突出片２１ｂと、一対の第二の接触片２１ｄと、によって挟持固定させるものである。すなわち、一対の突出片２１ｂと、一対の第二の接触片２１ｄとの間にツェナーダイオードＤが挿入（ツェナーダイオード挿入口１２ｂから挿入）されることによって、一対の第二の接触片２１ｄの弾性を利用してツェナーダイオードＤが挟持固定され、一対の端子２０とツェナーダイオードＤとの電気的接続（各々の接点部を介して接続）がなされる。
【００３２】
第二の部品接続部２２は、一対の基部２１ａと、天板部２０ａの両縁から立設された一対の係合部２２ａと、一対の第三の接触片２２ｄとを有してなる。一対の係合部２２ａは、主端面部２２ｂと、鉤状部２２ｃとを有してなる。主端面部２２ｂは、垂直に伸びる端面を形成された部分であり、端子２０がハウジング１０内に収容された場合、図３に示すように、後壁１３の内面に面接触される。鉤状部２２ｃは、係合部２２ａの下部の鉤状に形成された部分であり、端子２０がハウジング１０内に収容された場合、図３に示すように、後壁１３の内面側に形成された内面側段差１３ａに係合される。
【００３３】
一対の第三の接触片２２ｄは、図８に示すように、一対の基部２１ａと一対の係合部２２ａとの間の位置で天板部２０ａから下方に伸ばされた一対の弾性片である。この一対の第三の接触片２２ｄは、その端部に向けて一対の基部２１ａとの距離を短くするように伸ばされている。このように構成された第二の部品接続部２２は、収容部３０Ｒに収容した抵抗板Ｒが電気的に接続される抵抗板接続部２６を有してなる。
【００３４】
抵抗板接続部２６は、前述のように収容部３０Ｒ内に収容される抵抗板Ｒを、一対の基部２１ａと、一対の第三の接触片２２ｄと、によって挟持固定させるものである。すなわち、一対の基部２１ａと、一対の第三の接触片２２ｄと、の間に抵抗板Ｒが挿入（抵抗板挿入口１１ａから挿入）されることによって、一対の第三の接触片２２ｄの弾性を利用して抵抗板Ｒが挟持固定され、端子２０と抵抗板Ｒとの電気的接続（各々の接点部を介して接続）がなされる。
【００３５】
電線接続部２３は、壁面接触部２３ａと、圧接端子部２３ｂとを有してなる。壁面接触部２３ａは、天板部２０ａが下方に向けて屈曲された部分であり、図３に示すように、端子２０がハウジング１０内に収容された場合、後壁１３の上端面を含む外面に沿った曲げ形状に形成されている。
【００３６】
圧接端子部２３ｂは、図８に示すように、下方に屈曲された壁面接触部２３ａからさらに後方向に屈曲して形成された板状部分である。この圧接端子部２３ｂは、略Ｕ字状に形成された切り欠き２３ｃが形成され、電線Ｗがこの切り欠き２３ｃに圧入されることによって、電線Ｗと端子２０とが電気的に接続される。このような一対の端子２０は、一対の端子２０が取り付けられるハウジング１０の底壁１１の面１１ｂに対して圧接端子部２３ｂの切り欠き２３ｃが形成される面２３ｄが平行になるように、形成されている。このように、切り欠き２３ｃが形成される面２３ｄが底壁１１の面１１ｂに対して平行であり、一対の端子２０のそれぞれに各電線Ｗを圧入した場合であっても、一方の圧接端子部２３ｂが他方の圧接端子部２３ｂに接続された電線Ｗの邪魔になることがない。
【００３７】
なお、壁面接触部２３ａと圧接端子部２３ｂの境界となる屈曲部分は、図３に示すように、後壁１３に形成された外面側段差１３ｂと係合するように形成されているので、端子２０が壁面接触部２３ａと一対の係合部２２ａによって後壁１３を挟み込むようになっている。
【００３８】
電線保持部１２０は、図９に示すように、折り返して屈曲させた各電線Ｗの屈曲部分を保持した状態でユニットカバー１１０内に収容され、ユニットカバー１１０内で各電線Ｗを各端子２０に電気的に接続させるものである。この電線保持部１２０は、一対の端子２０の各端子２０に電気的に接続される２本の電線Ｗが保持されている。また、電線保持部１２０は、屈曲保持部１２１およびランス部１２２を有してなる。
【００３９】
屈曲保持部１２１は、折り返して屈曲させた各電線Ｗの屈曲部分を保持するものであり、各圧接端子部２３ｂに各電線Ｗの屈曲部分が圧接される位置までユニットカバー１１０内に挿入されるように形成され、圧接端子部２３ｂが電線Ｗに接続されるように形成された切り込み１２１ａを前端部に有してなる。ランス部１２２においては、係合部としてユニットカバー１１０に形成された係合用開口部１１２と係合することによって、電線保持部１２０をユニットカバー１１０内に固定させるものである。
【００４０】
このような電線保持部１２０が、各電線Ｗを屈曲して保持させた状態でユニットカバー１１０内に収容されることによって、すなわち電線保持部１２０とユニットカバー１１０とが係合部１１２，１２２によって係合された場合、電線保持部１２０によって保持された各電線Ｗの折り曲げ部分が一対の端子２０の各圧接端子部２３ｂに電気的に接続される。
【００４１】
＜端子２０の一例＞
端子２０は、例えば図１０に示すような展開形状の板状部材（金属板）を用い、プレス加工法等により図８に示した形状となるように折り曲げて得ることができる。このような端子２０における天板部２０ａの一部である連結部４０は、図１０に示すように一対の第三の接触片２２ｄを繋いでいる部分に相当し、この連結部４０をカット（切除）することにより、当該一対の接触片２２ｄを互いに電気的に分離することが可能となる。したがって、例えば一対の端子２０のうち一方において、前述のように連結部４０をカットし、当該一方の端子２０の収容部３０Ｒのみに抵抗板Ｒを収容することにより、一対の接触片２２ｄの一方と他方との間が抵抗板Ｒを介して直列接続された構造にすることができ、図１１に示すようにＬＥＤ素子ＬとツェナーダイオードＤとが並列接続し当該ＬＥＤ素子Ｌを過電圧から保護することが可能な回路を構成できる。
【００４２】
端子２０の接点部は、収容される各電子部品の接点部（各電子部品の端子等）と接する位置に適宜設定されるものであり、ＬＥＤ素子Ｌ，ツェナーダイオードＤ，抵抗板Ｒの場合においては、例えば各電子部品に弾接する接触片２１ｃ，２１ｄ，２２ｄを端子２０の接点部としてそれぞれ設定することができる。
【００４３】
＜ユニットカバー１１０の一例＞
ユニットカバー１１０の形状、例えばＬＥＤ素子挿入口１２ａ，ツェナーダイオード挿入口１２ｂ，抵抗板挿入口１１ａや収容部３０においては、例えば図１２〜図１４に示すように、照明用開口部１１１をレンズ等の透光性部材（例えば半球状の部材）５０によって蓋をすることにより、ＬＥＤ素子Ｌからの光が透光性部材５０を介して外部に向けて出射する構造にすることが可能である。この透光性部材５０の取付方法においては、例えば図１３に示すように、ユニットカバーの下方向側に形成された開口部５１を介して当該ユニットカバー１１０内に収容（接続構造１を装着する前に収容）し、照明用開口部１１１の内側から取り付け固定する手法が挙げられる。また、透光性部材５０を収容する際のガイド機能および位置決め機能を持たせるために、図１３に示すように、開口部５１の内側において垂直方向に延在する直線状の溝５１ａを形成したり、透光性部材５０において前記の溝５１に嵌合可能な突条部５０ａを設けても良い。さらに、図１４に示すように、照明用開口部１１１から透光性部材５０の一部が突出するように、当該照明用開口部１１１の突出高さを設定（例えば低く設定）しても良い。
【００４４】
＜ハウジング１０の一例＞
ハウジング１０においては、適用する端子２０，ＬＥＤ素子Ｌ，ツェナーダイオードＤ，抵抗板Ｒの形状，個数等に応じて適宜設計されるものであり、その一例として、図１５に示すように２個の抵抗板Ｒをそれぞれの抵抗板挿入口１１ａから挿入して収容部３０Ｒ内に収容可能なものが挙げられる。また、図１５に示すように、例えば底壁１１において、装着部材１をユニットカバー１１０内に収容した際に開口部５１に係合するランス部６０を形成することにより、当該収容時に装着部材１をユニットカバー１１０内に固定させる構造にしても良い。
【００４５】
ガイド部３１は、抵抗板挿入口１１ａの内側縁の位置において、その内側縁から抵抗板挿入口１１ａの径方向に突出して形成された突起部であって、例えば、図１５に示すように抵抗板挿入口１１ａから挿入される抵抗板Ｒを、図１６に示すように収容部３０Ｒ内の所定位置に案内できる形状であれば良い。このガイド部３１においては、例えば図１６に示すように抵抗板挿入口１１ａの内側縁の二箇所において対向するように形成（一対のガイド部３１を形成）することにより、十分なガイド機能を有することになる。また、収容部３０Ｒにおいては、抵抗板Ｒ挿入方向の先端側部３２とガイド部３１との間の距離Ｌ１が、抵抗板Ｒにおける挿入方向長さＬ２よりも大きく設定される。
【００４６】
以上示したように収容部３０Ｒ，ガイド部３１を形成することにより、抵抗板Ｒを収容部３０Ｒに収容した際に、それら抵抗板Ｒと収容部３０Ｒとの間にクリアランス（例えば図１５に示すようなクリアランスＣ１，Ｃ２，Ｃ３）を形成することができ、両者の接触による干渉を抑制することができる。なお、収容部３０Ｌ，３０Ｄにおいても、前述の収容部３０Ｒのように形成（例えばガイド部３１等を形成）しても良く、当該収容部３０Ｒと同様の作用効果を奏することが可能となる。
【００４７】
＜ＬＥＤ照明ユニット１００の組立手順の一例＞
次に、図１のＬＥＤ照明ユニット１００の組立手順の一例について、図１７〜図２１等に基づいて説明する。まず、図１７に示すように、ハウジング１０内に一対の端子２０を収容する。この際、各端子２０は、ハウジング１０の開口部１０ａから挿入され、突出片２１ｂが端子固定部１６の下端面１６ｂと底壁１１の上面との間に位置されてハウジング１０に固定される。また、一対の端子２０において、切り欠き２３ｃが形成される面２３ｄは、底壁１１の面１１ｂに対して平行になって配置される。
【００４８】
その後、図１８に示すように、ＬＥＤ素子ＬおよびツェナーダイオードＤを一対の端子２０に接続させる。より具体的には、ＬＥＤ素子Ｌが、ＬＥＤ素子挿入口１２ａからハウジング１０内に挿入され、収容部３０Ｌ内における一対の曲げ縁部２０ｂと一対の第一の接触片２１ｃとの間に配置される。この際、ＬＥＤ素子Ｌが、一対の第一の接触片２１ｃの弾性を利用して一対の曲げ縁部２０ｂと一対の第一の接触片２１ｃとの間隔を押し広げながら挿入さる。このため、一対の第一の接触片２１ｃによって一対の曲げ縁部２０ｂへ向けた付勢力がかかり、ＬＥＤ素子Ｌが、図３に示すように、一対の曲げ縁部２０ｂと一対の第一の接触片２１ｃとの間で保持される。
【００４９】
ツェナーダイオードＤは、ツェナーダイオード挿入口１２ｂから挿入され、収容部３０Ｄ内における一対の突出片２１ｂと一対の第二の接触片２１ｄとの間に配置される。この際、ツェナーダイオードＤが、一対の第二の接触片２１ｄの弾性を利用して一対の突出片２１ｂと一対の第二の接触片２１ｄとの間隔を押し広げながら挿入さる。このため、一対の第二の接触片２１ｄによって一対の突出片２１ｂへ向けた付勢力がかかり、ツェナーダイオードＤが、図３に示すように、一対の突出片２１ｂと一対の第二の接触片２１ｄとの間で保持される。
【００５０】
その後、図１９に示すように、抵抗板Ｒを一対の端子２０に接続させて接続構造１が構成される。この際、抵抗板Ｒは、一対の溝１５ａにおける抵抗板挿入口１１ａ内側縁の位置に突出形成されたガイド部３１によって案内されながら挿入され、収容部３０Ｒ内における一対の基部２１ａと一対の第三の接触片２２ｄとの間に配置される。また、抵抗板Ｒは、一対の第三の接触片２２ｄの弾性を利用して基部２１ａと一対の第三の接触片２２ｄとの間隔を押し広げながら挿入される。このため、一対の第三の接触片２２ｄによって一対の基部２１ａへ向けた付勢力がかかり、抵抗板Ｒが、図３に示すように、一対の基部２１ａと一対の第三の接触片２２ｄとの間で保持される。
【００５１】
次に、図２０に示すように、電子部品の接続構造１をユニットカバー１１０内に収容する。これによって、ＬＥＤ素子Ｌがユニットカバー１１０の照明用開口部１１１に対応した位置に配置される。また、一対の端子２０の各圧接端子部２３ｃが、ユニットカバー１１０の開口１１０ａ側に向けて配置される。
【００５２】
その後、図２１に示すように、電線保持部１２０をユニットカバー１１０内に収容する。これによって、ＬＥＤ照明ユニット１００が完成される。電線保持部１２０がユニットカバー１１０の開口１１０ａからユニットカバー１１０内の所定位置まで押し込まれると各電線Ｗが各圧接端子部２３ｂの切り欠き２３ｃ内に圧入され、各電線Ｗと各端子２０とが電気的に接続される。このように、各電線Ｗと各端子２０とが電気的に接続された状態で、ランス部１２２がユニットカバー１１０の係合用開口部１１２に係合されるので、電線保持部１２０が各電線Ｗと各端子２０の接続を維持した状態でユニットカバー１１０内に固定される。ここで、各電線Ｗが後方向（横方向）に折り曲げた状態で、圧接端子部２３ｂに接続されるため、ＬＥＤ照明ユニット１００を縦方向でコンパクトにすることができる。
【００５３】
以上、本発明において、記載された具体例に対してのみ詳細に説明したが、本発明の技術思想の範囲で多彩な変更等が可能であることは、当業者にとって明白なことであり、このような変更等が特許請求の範囲に属することは当然のことである。
【００５４】
例えば、一対の端子２０を用いるものを例示したが、これに限定されるものではなく、電子部品と電気的に接続される２つ以上の端子を適用するものでも良い。また、端子２０が板状の部材をプレスによって成形したものを例示したが、これに限定されるものではなく、基部２１ａと、基部２１ａから横方向伸ばされた突出片２１ｂあるいは天板部２０ａと、基部２１ａから端部に向けて突出片２１ｂあるいは天板部２０ａとの距離を短くするように横方向に伸ばされ、かつ弾性を有してなる接触片と、を有してなる端子構造でも良い。
【００５５】
さらに、電子部品としてＬＥＤ素子Ｌ，ツェナーダイオードＤ，抵抗板Ｒが一対の端子２０と電気的に接続されるものを例示したが、これに限定されるものではなく、その他の各種電子部品が一対の端子２０に接続されるものであっても良い。
【符号の説明】
【００５６】
１…接続構造
１０…ハウジング
１０ａ… 開口部
１１ａ…抵抗板挿入口
１２ａ…ＬＥＤ素子挿入口
１２ｂ…ツェナーダイオード挿入口
２０…端子
２１ｃ…第一の接触片
２１ｄ…第二の接触片
２２ｄ…第三の接触片
３０Ｌ，３０Ｄ，３０Ｒ…収容部
３１…ガイド部
１００…ＬＥＤ照明ユニット
１１０…ユニットカバー
Ｌ…ＬＥＤ素子
Ｄ…ツェナーダイオード
Ｒ…抵抗板
Ｗ…電線
【図１】
2014157679.tif 000003
【図２】
2014157679.tif 000004
【図３】
2014157679.tif 000005
【図４】
2014157679.tif 000006
【図５】
2014157679.tif 000007
【図６】
2014157679.tif 000008
【図７】
2014157679.tif 000009
【図８】
2014157679.tif 000010
【図９】
2014157679.tif 000011
【図１０】
2014157679.tif 000012
【図１１】
2014157679.tif 000013
【図１２】
2014157679.tif 000014
【図１３】
2014157679.tif 000015
【図１４】
2014157679.tif 000016
【図１５】
2014157679.tif 000017
【図１６】
2014157679.tif 000018
【図１７】
2014157679.tif 000019
【図１８】
2014157679.tif 000020
【図１９】
2014157679.tif 000021
【図２０】
2014157679.tif 000022
【図２１】
2014157679.tif 000023